(57)【要約】【課題】  周囲への細菌の拡散や腐敗の進行を確実に防止し得るとともに、遺体からの滲出液などが漏れ出ることを防ぐことが可能な遺体の保存方法の提供。【解決手段】  気密性を有する納体袋に遺体を収容する工程１００と、納体袋に収容された遺体に対し、薬剤を塗布又は噴霧等することによって防腐又は殺菌処理を施す保存処理工程１０２と、納体袋の空気を抜く脱気処理工程１０４とを具備する。【選択図】        図１
2013034746.tif 000002
【特許請求の範囲】
【請求項１】
気密性を有する納体袋に遺体を収容する収容工程と、
前記納体袋に収容される遺体に対し、薬剤を塗布又は噴霧等することによって防腐又は殺菌処理を施す保存処理工程と、
前記納体袋の空気を抜く脱気処理工程とを具備することを特徴とする遺体の処理方法。
【請求項２】
前記収納工程に際し、前記納体袋を形成するシート材の一部に遺体を横たえ、該シート材を中央部付近から折り畳んで遺体の上に覆い被せた後、該シート材の長辺側同士，並びに短辺側同士をジッパー若しくは熱溶着によって袋状にした後、閉塞することを特徴とする請求項１に記載の遺体の処理方法。
【請求項３】
前記保存処理工程を、前記納体袋に遺体を収容する前或いは収容した後、遺体に対し薬剤を予め含浸若しくは湿らせた薬剤塗布シートを接触させる、又は薬剤を該納体袋内へ直接噴霧する、或いはそれらを併用して行うことを特徴とする請求項１又は２に記載の遺体の処理方法。
【請求項４】
前記納体袋の素材としてポリエチレンフイルム又はナイロンフイルム、或いはこれらを複合化して多層構造としたものであることを特徴とする請求項１〜３のうち、何れか１項に記載の遺体の処理方法。
【請求項５】
前記納体袋の素材として少なくとも一層のフイルムには着色が施されていることを特徴とする請求項１〜４のうち、何れか１項に記載の遺体の処理方法。
【請求項６】
前記保存処理工程にて使用する薬剤は二酸化塩素であることを特徴とする請求項１〜５のうち、何れか１項に記載の遺体の処理方法。
【請求項７】
前記保存処理工程にて、薬剤による防腐及び殺菌処理の前後に、前記納体袋へ冷却材を投入することを特徴とする請求項１〜６のうち、何れか１項に記載の遺体の処理方法。
【発明の詳細な説明】
【技術分野】
【０００１】
本発明は、遺体の長期保存を可能ならしめる遺体の保存方法に関し、例えば、納棺時に利用可能な保存方法に関する。
【背景技術】
【０００２】
現在における人の死亡原因は生活習慣病による場合は勿論のこと、様々な感染症によって死亡することも多くなっており、遺体の状況も多様化している。例えば、病院にて死亡した場合における遺体の処理は、病院から葬儀関係者、納棺師へと引き継がれるが、各関係者間で、死亡原因の情報交換、情報共有が密にできているとは言い難い。このため、遺体に関し、どのような原因・疾病で死に至ったのかが事実として共有されず、遺体の処理に伴って後述する様々な問題を引き起こしていた。
通常、遺体を一旦保管する場合はドライアイスなどの冷却材を利用することが一般的であるが、二酸化炭素の排出という環境に負荷をかけることが懸念される。また、事件性が疑われる遺体の場合は、ある程度長期に亘って保管することもあり、このような場合は大型の冷凍庫に収容するなど、大掛かりな設備を必要としている。
【０００３】
一方で、仮に肝炎や免疫不全症候群（ＡＩＤＳ）、猛毒性のインフルエンザなどの疾病によって亡くなった遺体の場合は、遺体を火葬するまでの間に遺体から滲出する血液、唾液、尿などの体液により、ウイルス感染の危険が常につきまとっているのが現状である。かかる場合、単にドライアイスなどを頻繁に補充・交換することによって遺体の温度を低下させたとしても、遺体の腐敗を多少遅らせるに過ぎず、ウイルスは遺体に残存している可能性がある。このような状況下、特に遺体を棺に納棺する作業を行う納棺師、又は警察関係、搬送業務など遺体に関わるすべての関係者は、遺体に直接手を触れるために、ウイルスや細菌感染の危険を伴った状態での作業を余儀なくされ、又、その家族にまで感染を引き起こすことも状況によっては想定される。このため、納棺等の作業は感染の危険が伴うという認識が広まることも考えられ、後継者不足などの問題も同時に引き起こしており、社会全体として改善策が望まれている。
【０００４】
従来、遺体を処理する方法の一例として、特開平９−１４０７５２号公報（特許文献１）記載の「遺体収納保存方法」に関する発明が公開されている。同発明は、断熱性及び気密性を有する容器に遺体を収納した後、容器に設けられている連通部から内部の酸素を除去するとともに、滅菌効果のある成分を封入することによって遺体の損傷を防止し得るとされている。
また、特開平９−２８６７０１号公報（特許文献２）には、断熱性及び気密性を有する袋体に遺体を収容した後、袋体に設けられた連通部から、袋体内部を無酸素状態とし、そして、遺体を急速冷却する液化ガス（液化炭酸ガス、若しくは液化窒素等）を高圧ボンベなどから袋体内部に注入して保存する発明が開示されている。同発明によれば、遺体の損傷や腐敗を防止し得るとともに、周囲への細菌類の飛散を防ぐことが可能であるとされている。
【先行技術文献】
【特許文献】
【０００５】
【特許文献１】特開平９−１４０７５２号公報
【特許文献２】特開平９−２８６７０１号公報
【発明の開示】
【発明が解決しようとする課題】
【０００６】
しかしながら、前述した特許文献１記載の「遺体収納保存方法」に関する発明は、容器として箱状のもの或いは袋状に形成したものが例示され、又空気と置換する不活性ガスとして、窒素ガスが挙げられているが、かかる窒素ガスは極低温であるために容器そのものが低温によって脆化し、遺体の重量を支えきれず壊れやすくなったり、袋体にピンホールが生じる可能性があった。容器の損傷は細菌や腐敗臭を拡散させたり、遺体から滲出液が漏れ出るなど、環境に悪影響を与える可能性や感染の危険性があり、遺体の保存方法としては依然として課題があった。
さらに、特許文献２記載の「遺体の保存方法」に関しては、袋体に予め滅菌剤を封入することが記載されているが、単に袋体に滅菌剤を封入しておくだけでは遺体の殺菌が不十分となり、依然として細菌感染の危険がある。
【０００７】
本発明は、このような諸事情に対処するために提案されたものであって、遺体を火葬するまでの間に、周囲への細菌の拡散を確実に防止し、且つ遺体からの滲出液などが漏れ出ることを防ぐことが可能であり、腐敗の進行を抑止することが可能な遺体の保存方法を提供することを目的とする。要するに、第１の目的は納棺作業に当たる葬儀関係者の健康被害を防止することが可能であり、且つ本人のみならず関係者やその家族の健康被害を防止し安全性の向上を図ることである。
また、第２の目的は遺体の腐敗の進行を防止し、且つ腐敗臭の拡散・体液の漏れなどを完璧に防止して遺体の変化を防ぐことである。
さらに、第３の目的は火葬時にダイオキシンなどの有害物質の発生を防止し、低温下でも脆化することなく使用可能であり、幅広い温度帯での遺体の保存に適した遺体の保存方法を提供することである。
【課題を解決するための手段】
【０００８】
上記目的を達成するために、請求項１記載の発明は、気密性を有する納体袋に遺体を収容する収容工程と、前記納体袋に収容された遺体に対し、薬剤を塗布又は噴霧等することによって防腐又は殺菌処理を施す保存処理工程と、前記納体袋の空気を抜く脱気処理工程とを具備することを特徴とする。
【０００９】
請求項２記載の発明は、上記１項において、前記収納工程に際し、前記納体袋を形成するシート材の一部に遺体を横たえ、該シート材を中央部付近から折り畳んで遺体の上に覆い被せた後、該シート材の長辺側同士，並びに短辺側同士をジッパー若しくは熱溶着によって袋状にした後、閉塞することを特徴とする。
【００１０】
請求項３記載の発明は、上記１項又は２項において、前記保存処理工程を、前記納体袋に遺体を収容する前或いは収容した後、遺体に対し薬剤を予め含浸若しくは湿らせた薬剤塗布シートを接触させる、又は薬剤を該納体袋内へ直接噴霧する、或いはそれらを併用して行うことを特徴とする。
【００１１】
請求項４記載の発明は、上記１項〜３項のうちいずれか１項において、前記納体袋の素材としてポリエチレンフイルム又はナイロンフイルム、或いはこれらを複合化して多層構造としたものであることを特徴とする。
【００１２】
請求項５記載の発明は、上記１項〜４項のうちいずれか１項において、前記納体袋の素材として少なくとも一層のフイルムには着色が施されていることを特徴とする。
【００１３】
請求項６記載の発明は、上記１項〜５項のうちいずれか１項において、前記保存処理工程にて使用する薬剤は二酸化塩素であることを特徴とする。
【００１４】
請求項７記載の発明は、上記１項〜６項のうちいずれか１項において、前記保存処理工程にて、薬剤による防腐及び殺菌処理の前後に、前記納体袋へ冷却材を投入することを特徴とする。
【発明の効果】
【００１５】
上述のように、各請求項記載の発明によれば、遺体を保存するに際し、遺体の火葬までに細菌の拡散を確実に防止することが可能であり、且つ遺体の腐敗の進行を抑止することができる。また、火葬時にはダイオキシン等の有害物質の発生を防止できるとともに、低温など幅広い温度帯で遺体を安全に保存することが可能である。
【図面の簡単な説明】
【００１６】
【図１】本発明の一実施形態に係る遺体の保存方法の処理工程を示すフロー図である。
【図２】同じく、本発明の一実施形態に係る遺体の保存方法に使用される納体袋の平面図である。
【図３】同じく、本発明の一実施形態に係る遺体の保存方法にて使用される納体袋の断面図である。
【図４−１】同じく、本発明の一実施形態に係る遺体の保存方法にて使用される納体袋へ遺体を収納する場合の手順を示す概略説明図である。
【図４−２】同じく、本発明の一実施形態に係る遺体の保存方法にて使用される納体袋の寸法を示す概略平面図である。
【図５】同じく、本発明の一実施形態に係る遺体の保存方法において、納体袋内に収容された遺体に対し、防腐又は殺菌処理を施す保存処理工程の手順を示す説明図である。
【図６】同じく、本発明の一実施形態に係る遺体の保存方法において、納体袋から空気を抜く脱気処理工程の手順を示す概略斜視図である。
【図７】同じく、本発明の一実施形態に係る遺体の保存方法において、納体袋から空気を抜く脱気処理工程の手順を示す側面図である。
【発明を実施するための最良の形態】
【００１７】
以下、本発明に係る遺体の保存方法の好適な実施形態について、添付図面を参照して詳細に説明する。
図１は本発明の一実施形態に係る遺体の保存方法の処理工程を示すフロー図、図２は遺体を収納する納体袋の平面図、図３は納体袋の断面図、図４−１は納体袋へ遺体を収納する場合の手順を示す概略説明図、図４−２は納体袋の寸法を示す概略平面図である。
図１に示されるように、本発明の遺体の収容方法は、基本的に遺体の収容工程１００、保存処理工程１０２、脱気処理工程１０４を具備し、本実施形態では、これらの工程に加え、薬剤の追加噴霧処理工程１０２´を含んで構成されている。
【００１８】
遺体の収容工程１００では予め準備された納体袋に遺体を収納するが、図２及び図３に示されるように、納体袋１０は、１５μｍのナイロン１０Ａ、並びに５０μｍのリニアローデンポリエチレン１０Ｂを重ね合わせてなる二層構造のシート材１を加工することによって形成されている。このシート材１は、火葬時にダイオキシンなど有害物質の発生を防止することができるとともに、例えば氷点下２５°Ｃの低温下まで使用上の安全温度が保証され、且つ高い機械的強度を有し、しなやかさ並びに柔軟性を損なわない材質である。シート材１のナイロン１０Ａには黒色印刷が施され、これによって内部が透けて見えることを防止し、損傷の激しい遺体などを保存する場合に配慮されているとともに、紫外線等が遺体に直接当たらないようになっている。なお、印刷の色彩は黒色に限られない。
【００１９】
また、納体袋１０の表側には空気抜き用のバルブ孔１２が取り付けられ、このバルブ孔１２に、後述するバキューム装置（吸引装置）のホースを接続することによって納体袋１０内部の空気を抜く脱気処理工程１０４を行うようになっている。このバルブ孔１２は逆止弁１２Ａを備えており、ホースを抜いた後も納体袋１０内に空気が逆流しないようになっている。各工程の作業に当たる者は、グローブ、ゴーグル、ガウン、保護帽子、マスク（酸性ガス防護用）などを着用し、防染対策を徹底しておく。
【００２０】
遺体の収納工程１００に際しては、図４−１に示されるように、シート材１の半分の位置に遺体を横たえ、シート材１の中央部から、バルブ孔１２が設けられている部分を、折り畳んで遺体の上に覆い被せる。そして、シート材１の長辺側１０Ｃ，１０Ｄを、予めシート材１に設けられているダブルジッパー１４Ａ，１４Ｂによって閉塞するとともに、その外側同士をヒートシーラー１６を使用して熱溶着し、袋状の納体袋１０とする。
さらに、短辺側についてもヒートシーラー１６によって少なくとも二重に閉じ、納体袋１０の内部と外部空間とを遮断する。納体袋１０の寸法は、図４−２に示されるように、あくまで一例であるが、遺体の収容のし易さ等を考慮し、長辺側を２２０センチ、短辺側を９０センチ程度としている。なお、本実施形態で示す納体袋１０は平面視長方形状に形成されているが、これに限らず、納体袋１０の隅部をカットするなど遺体を扱いやすい形状に加工してもよい。
【００２１】
図５は納体袋１０内に収容された遺体に対し、薬剤を塗布又は噴霧等することによって防腐又は殺菌処理を施す保存処理工程１０２の手順を示す説明図である。同図（ａ）に示されるように、前述した遺体の収納工程１００の前後或いはその途中にて、薬液として二酸化塩素を予め含浸若しくは湿らせた薬剤塗布シート１８を遺体に接触させる作業を行い、遺体に対し殺菌及び防腐を施して保存処理を行う。二酸化塩素は、化学式ＣｌＯ２で表される殺菌性、除菌性を備えた物質であり、遺体の状況に応じ、１，０００（ｐｐｍ）以上の濃度で除菌・殺菌を行う。
【００２２】
また、腐敗が特に進行している遺体の場合は、図５（ｂ）に示されるように、薬剤を納体袋１０のバルブ孔１２から袋内へ、加圧式噴霧器１９を使用して二酸化塩素を直接噴霧する追加噴霧処理工程１０２´を併用する。このように、本実施形態では遺体に対し、薬剤塗布シート１８によって二酸化塩素を直接接触させる、或いは納体袋１０内に二酸化塩素を直接噴霧するようにしているため、遺体の保存処理作業に際し、二酸化塩素の周囲への拡散を防止することが可能であり、作業者の安全性を確保することができる。その後、５分から数十分程度放置した後、納体袋１０内の空気を抜く脱気処理工程１０４へと移行し、脱気処理後は図５（ｃ）に示されるように、納体袋１０内の気圧が低下した状態となる。なお、この保存処理工程１０２、追加噴霧処理工程１０２´を行うに際し、少量のドライアイスを納体袋１０内に入れて、袋内の温度を低下させることが、遺体の保存有効効な場合もある。
【００２３】
図６は納体袋１０から空気を抜く脱気処理工程１０４の手順を示す概略斜視図、図７は側面図である。これらの図に示されるように、脱気処理工程１０４に際しては、バルブ孔１２に、吸引装置２０の吸引ホース２２を接続する。そして、吸引装置２０には排気ホース２４が接続されている。吸引装置２０はＨＥＰＡフィルタ等を内蔵し、汚染物質を飛散させず装置内に閉じ込めるとともに、吸引装置２０から排出される排気を浄化する機能を備えている。吸引装置２０の排気ホース２４は安全性を考慮し、外部へ導くことが好ましい。脱気処理工程１０４によって納体袋１０内の大部分の空気は排出され、袋自体が圧縮された状態となる。
このように、納体袋１０内の空気を排出することにより、ウイルスなどの増殖を抑制することができ、前述した二酸化塩素による保存処理とも相俟って、遺体の腐敗を防止することが可能である。
【００２４】
上記のように構成した本実施形態の遺体の保存方法によれば、ウイルスなどの細菌などに対し、保存処理工程１０２にて二酸化塩素による殺菌・防腐処理を行うとともに、脱気処理工程１０４にて遺体が収容された納体袋１０内の空気を除去して残存するウイルス等の増殖を極力防止するようにしている。これによって、遺体の腐敗の進行を防止することができ、納棺作業を行う場合に細菌感染などの危険性を低減することが可能となる。
また、遺体の収容に使用する納体袋１０は、低温による状態変化が少なく、温度差による袋の破れ等が生じる可能性が極めて低く、遺体から漏れ出る滲出液の漏出、臭気の漏れを確実に防ぐことができる。
【産業上の利用可能性】
【００２５】
以上説明したように、本発明によれば、遺体の腐敗の進行・変化を防止することが出来るとともに、環境に優しく、且つ安全性の向上に寄与する。
【符号の説明】
【００２６】
１  シート材
１０  納体袋
１０Ａ  ナイロン
１０Ｂ  リニアローデンポリエチレン
１２  バルブ孔
１２Ａ  逆止弁
１４Ａ  １４Ｂ  ダブルジッパー
１６  ヒートシーラー
１８  薬剤塗布シート
１９  加圧式噴霧器
２０  吸引装置
２２  吸引ホース
２４  排気ホース
１００    収容工程
１０２    保存処理工程
１０２´  追加噴霧処理工程
１０４    脱気処理工程
【図１】
2013034746.tif 000003
【図２】
2013034746.tif 000004
【図３】
2013034746.tif 000005
【図４−１】
2013034746.tif 000006
【図４−２】
2013034746.tif 000007
【図５】
2013034746.tif 000008
【図６】
2013034746.tif 000009
【図７】
2013034746.tif 000010